(57)【特許請求の範囲】
【請求項１】
トランシーバの受信端の感度を測定する方法において、
トランシーバの信号経路に沿ってトランシーバの送信端からトランシーバの受信端へ信号を接続する接続段階と、
送信端から受信端へ送信されるべき信号の信号レベルを変化させる信号レベル変化段階と、
信号経路に沿ってテスト信号を送信することにより、信号経路に送信される信号に対する信号経路の影響を決定する信号経路影響決定段階と、
受信端に入る信号を、受信端を経て転送する受信信号転送段階と、
信号経路影響決定段階において決定された信号経路の影響に基づいて、送信端から送信された信号を、受信端を通過した信号と比較し、そしてこの比較に基づいて受信端の感度を決定する受信端感度決定段階と、
を含むことを特徴とする方法。
【請求項２】
トランシーバの受信端の感度を測定する方法において、
トランシーバの信号経路に沿ってトランシーバの送信端からトランシーバの受信端へ信号を接続する接続段階と、
送信端から受信端へ送信されるべき信号にノイズ信号を付加して、和の信号を形成する和信号形成段階と、
信号経路に沿ってテスト信号を送信することにより、信号経路に送信される信号に対する信号経路の影響を決定する信号経路影響決定段階と、
受信端に入る和の信号を、受信端を経て転送する受信和信号転送段階、
信号経路影響決定段階において決定された信号経路の影響に基づいて、送信端から送信された信号を、受信端を通過した和の信号と比較し、そしてこの比較に基づいて受信端の感度を決定する受信端感度決定段階と、
を含むことを特徴とする方法。
【請求項３】
信号経路影響決定段階が、送信中のテスト信号の変化に基づいて信号経路の特性を決定する段階を含む請求項１又は２に記載の方法。
【請求項４】
和信号形成段階において付加されるべきノイズの量を時々変化させ、受信端感度決定段階において受信端に対し各ノイズ量に対応する感度値を決定すること特徴とする請求項２に記載の方法。
【請求項５】
受信アンテナから途中全体の受信端の感度を決定する段階を含む請求項１に記載の方法。
【請求項６】
送信端から受信端へ送信される信号は、受信器の周波数帯域に変換される請求項１又は２に記載の方法。
【請求項７】
接続段階において送信経路に接続されるべき信号は、アナログ形態である請求項１又は２に記載の方法。
【請求項８】
トランシーバの受信端の感度を測定する方法において、
トランシーバの信号経路に沿ってトランシーバの送信端からトランシーバの受信端へ信号を接続する接続段階と、
送信端から受信端へ送信されるべき信号の信号レベルを変化させる信号レベル変化段階と、
送信経路により信号に生じる減衰を決定する信号減衰決定段階と、
受信端に入る信号を、受信端を経て転送する受信信号転送段階と、
信号減衰決定段階において決定された信号経路の減衰に基づいて、送信端から送信された信号を、受信端を通過した信号と比較し、そしてこの比較に基づいて受信端の感度を決定する受信端感度決定段階と、
を含むことを特徴とする方法。
【請求項９】
トランシーバの受信端の感度を測定する方法において、
トランシーバの信号経路に沿ってトランシーバの送信端からトランシーバの受信端へ信号を接続する接続段階と、
送信端から受信端へ送信されるべき信号にノイズ信号を付加して、和の信号を形成する和信号形成段階と、
送信経路により信号に生じる減衰を決定する信号減衰決定段階と、
受信端に入る和の信号を、受信端を経て転送する受信和信号転送段階と、
信号減衰決定段階において決定された信号経路の減衰に基づいて、送信端から送信された信号を、受信端を通過した和の信号と比較し、そしてこの比較に基づいて受信端の感度を決定する受信端感度決定段階と、
を含むことを特徴とする方法。
【請求項１０】
送信端及び受信端を備えたトランシーバにおいて、
送信端と受信端との間の送信経路(42)と、
上記送信経路(42)に沿ってトランシーバの送信端から同じトランシーバの受信端へ信号を接続するためのスイッチング手段(40)と、
送信端から受信端へ接続されるべき信号のレベルを変化させるための減衰手段(70)と、
上記送信経路の特性を決定するためにテスト信号を信号経路に沿って送信するテスト信号送信手段(80)と、
上記減衰手段(70)により受信端の周波数帯域に対して変化された信号を送信するための混合手段(120)と、
上記テスト信号が送信経路に沿ってスイッチング手段(160)に到着する前にそのテスト信号を除去するためのテスト信号除去手段(150)と、
上記混合手段(120)により転送された信号を、受信端を経て接続するためのスイッチング手段(160)と、
送信端から送信された信号を、受信端を通過した信号と比較して、受信端の感度を決定するための制御手段(60)と、
を備えたことを特徴とするトランシーバ。
【請求項１１】
送信端及び受信端を備えたトランシーバにおいて、
送信端と受信端との間の送信経路(42)と、
上記送信経路(42)に沿ってトランシーバの送信端から同じトランシーバの受信端へ信号を接続するためのスイッチング手段(40)と、
送信端から受信端へ接続されるべき信号のレベルを変化させるための減衰手段(70)と、
上記送信経路の特性を決定するためにテスト信号を信号経路に沿って送信するテスト信号送信手段(80)と、
上記減衰手段(70)により受信端の周波数帯域に対して変化された信号を送信するための混合手段(120)と、
送信経路により生じた減衰を測定するための減衰測定手段(150)と、
上記混合手段(120)により転送された信号を、受信端を経て接続するためのスイッチング手段(160)と、
送信端から送信された信号を、受信端を通過した信号と比較して、受信端の感度を決定するための制御手段(60)と、
を備えたことを特徴とするトランシーバ。
【請求項１２】
送信端及び受信端を備えたトランシーバにおいて、
送信端と受信端との間の送信経路(42)と、
上記送信経路(42)に沿ってトランシーバの送信端から同じトランシーバの受信端へ信号を接続するためのスイッチング手段(40)と、
上記信号にノイズを発生するためのジェネレータ(110)と、
上記送信経路の特性を決定するために送信経路にテスト信号を信号経路に沿って送信するためのテスト信号送信手段(80)と、
上記テスト信号が送信経路に沿ってスイッチング手段(160)に到着する前にそのテスト信号を除去するためのテスト信号除去手段(150)と、
ノイズが付加された信号を、受信端を経て接続するためのスイッチング手段(160)と、
上記スイッチング手段(40)により接続された信号を、受信端を通過した信号と比較して、受信端の感度を決定するための制御手段(60)と、
を備えたことを特徴とするトランシーバ。
【請求項１３】
送信端及び受信端を備えたトランシーバにおいて、
送信端と受信端との間の送信経路(42)と、
上記送信経路(42)に沿ってトランシーバの送信端から同じトランシーバの受信端へ信号を接続するためのスイッチング手段(40)と、
上記信号にノイズを発生するためのジェネレータ(110)と、
上記送信経路の特性を決定するために送信経路にテスト信号を信号経路に沿って送信するためのテスト信号送信手段(80)と、
送信経路により生じた減衰を測定するための減衰測定手段(150)と、
ノイズが付加された信号を、受信端を経て接続するためのスイッチング手段(160)と、
上記スイッチング手段(40)により接続された信号を、受信端を通過した信号と比較して、受信端の感度を決定するための制御手段(60)と、
を備えたことを特徴とするトランシーバ。
【発明の詳細な説明】
【０００１】
【技術分野】
本発明は、トランシーバにおける受信端の感度を測定する方法に係る。
【０００２】
【背景技術】
無線システムは、システム内の受信器に情報信号を送信する種々の送信器を使用している。情報信号に加えて、受信器は、例えばノイズを含む種々の干渉信号も受信する。受信器は、常に、送信器によって送信された信号をノイズや同様の干渉の中から検出する受信能力を規定するある感度を有している。受信器の感度は、無線システムにおけるデータ送信の成功性にとって特に重要である。受信器の感度は、例えば、温度変化によって変化するので、感度を測定することが重要である。温度は、受信器の感度に著しく影響する。受信器内の部品のクオリティが高いほど、温度の影響は小さい。
【０００３】
例えば、ＧＳＭ無線システムでは、ベースステーションの一部分である受信器の感度は、外部の測定装置によって測定され、測定信号が受信器へ供給される。この測定信号は、受信器から、ベースステーションの送信端に接続され、そしてそこから、測定装置へ返送され、該測定装置は、その測定信号から例えばビットエラーを測定する。測定装置は、種々の減衰値で減衰された測定信号を受信器へ送信し、この場合に、受信器の感度を決定することができる。
【０００４】
感度測定に使用される測定装置の購入価格は、依然として高いものであり、このため、測定装置は常に購入されず、従って、受信器の感度は、全く測定されない。しかしながら、実際には、受信器がそれに対して設定された感度要求を満足しなければならないので、受信器の感度が常にある方法又は別の方法で測定される。ある場合には、無線ネットワークを使用する前に感度測定により受信器がそれに対して設定された感度要求を満足することがチェックされない場合には無線ネットワークの機能に欠陥が生じ得る。公知の方法で感度を測定するには、ベースステーションの位置に保守要員がいて、個別の測定装置で感度を測定することが必要である。しかしながら、このような方法は、実際に、低速な上に、非常に労力を要する。
【０００５】
【発明の開示】
本発明の目的は、上記問題を解消する方法及びこの方法を実施する装置を提供することである。これは、冒頭で述べた方法において、トランシーバの信号経路に沿ってトランシーバの送信端からトランシーバの受信端へ信号を接続し、送信端から受信端へ送信されるべき信号の信号レベルを変化させ、そして送信端から受信端へ送信される信号に対する転送の影響を考慮に入れ、受信端に入る信号を、受信端を経て転送し、送信端から送信された信号を、受信端を通過した信号と比較し、そしてこの比較に基づいて受信端の感度を決定するという段階を含むことを特徴とする方法により達成される。
【０００６】
又、上記目的は、冒頭で述べた方法において、トランシーバの信号経路に沿ってトランシーバの送信端からそのトランシーバの受信端へ信号を接続し、送信端から受信端へ送信されるべき信号にノイズ信号を付加して和の信号を形成し、そして送信端から受信端へ送信される信号に対する転送の影響を考慮に入れ、受信端に入る和の信号を、受信端を経て転送し、送信端から送信された信号を、受信端を通過した和の信号と比較し、そしてこの比較に基づいて受信端の感度を決定するという段階を含むことを特徴とする方法によっても達成される。
【０００７】
又、本発明は、送信端及び受信端を備えたトランシーバにも係る。
本発明のトランシーバは、送信端と受信端との間の送信経路と、その送信経路に沿ってトランシーバの送信端から同じトランシーバの受信端へ信号を接続するためのスイッチング手段と、送信端から受信端へ接続されるべき信号のレベルを変化させるための減衰手段と、上記送信経路の特性を決定するためにテスト信号を送信する手段と、上記減衰手段により受信端の周波数帯域に対して適応された信号を送信するための混合手段と、この混合手段により受信端を経て転送された信号を接続するためのスイッチング手段と、送信端から送信された信号を、受信端を通過した信号と比較して、受信端の感度を決定するための制御手段とを備えたことを特徴とする。
【０００８】
又、本発明のトランシーバは、送信端と受信端との間の送信経路と、その送信経路に沿ってトランシーバの送信端から同じトランシーバの受信端へ信号を接続するためのスイッチング手段と、上記信号にノイズを発生するためのジェネレータと、上記送信経路の特性を決定するために送信経路にテスト信号を送信するための手段と、ノイズが付加された信号を、受信端を経て接続するためのスイッチング手段と、そのスイッチング手段により接続された信号を、受信端を通過した信号と比較して、受信端の感度を決定するための制御手段とを備えたことを特徴とする。
【０００９】
本発明の好ましい実施形態は、従属請求項に記載する。
本発明は、トランシーバの送信端からそのトランシーバの受信端へ信号を接続することをベースとする。接続されるべき信号が減衰されるか、又はそれにノイズが付加される。信号における減衰又はノイズの量が変化され、受信器の感度を決定することができる。上記方法は、受信端に対して各減衰係数に対応する感度値を決定する段階を含む。付加されるべきノイズの量は、時々変化され、受信端に対して各ノイズ量に対応する感度値を決定することができる。
【００１０】
本発明による方法及びトランシーバは、多数の効果を発揮する。感度の測定は、例えば、ベースステーションであるトランシーバに一体化される。トランシーバの受信端の感度を測定する要素がトランシーバ自体の中にあるので、外部測定装置は必要とされない。１つの重要な効果は、適当なマネージメントソフトウェアによりリモート端から感度測定を実行できることである。従って、保守要員がベースステーションの場所へ出向いて測定を行う必要はない。個別の測定接続や外部測定装置が必要とされないので、感度の測定は、迅速に実行される。更に、測定配線が不要であるので、感度測定は、信頼性の高い結果を与える。
【００１１】
【発明を実施するための最良の形態】
以下、添付図面を参照して、本発明の好ましい実施形態を詳細に説明する。
図１は、例えば、ＣＤＭＡ方法（ＣＤＭＡ＝コード分割多重アクセス）又はＷＣＤＭＡ方法（ＷＣＤＭＡ＝ワイドバンドＣＤＭＡ）を使用する本発明のトランシーバを示す。実際には、例えば、ベースステーションである本発明のトランシーバは、手段１０、スケーリング手段２０、Ｄ／Ａ変換手段３０、変調手段３５、スイッチング手段４０、送信アンテナ４５、チャンネル発生手段５０、制御手段６０、減衰手段７０及びジェネレータ８０を備えている。手段１０、２０、３０、３５、４０及び４５は、ダウンリンクとも称されるトランシーバの送信端に含まれる。
【００１２】
又、トランシーバは、受信手段９０、Ａ／Ｄ変換手段１００、ジェネレータ１１０、混合手段１２０、加算手段１３０、受信器１４０、受信アンテナ１５５、手段１５０、及びスイッチング手段１６０も備えている。受信手段９０は、レーキ(RAKE)受信器であるのが好ましい。手段１４０、１００、９０は、アップリンクとも称されるトランシーバの受信端に含まれる。本発明による方法は、受信端の感度を測定するのに適している。
トランシーバの両スイッチング手段４０、１６０は、個別の方向性カプラーにより実施されるのが好ましい。ジェネレータ８０は、例えば、正弦波信号である所定の信号を発生する。実際に、所与の時間における所定信号の信号レベルは、既知であるか、又は必要に応じて見出すことができる。
【００１３】
トランシーバがＧＳＭ型のトランシーバである場合には、ＣＤＭＡシステムに通常使用される手段１０、２０、５０及び９０は、ＧＳＭ型トランシーバに適した手段に置き換えられる。受信器は、例えば、ＴＤＭＡ（ＴＤＭＡ＝時分割多重アクセス）、ＦＤＭＡ（ＦＤＭＡ＝周波数分割多重アクセス）又はＣＤＭＡ多重アクセス方法を適用することができる。図から明らかなように、トランシーバは、信号がトランシーバへ供給されるところのアップリンク信号経路１４１を備えている。実際に、トランシーバの受信アンテナ１５５は、最初、無線経路に沿ってトランシーバに到着する入力信号を受信する。トランシーバは、そのＲｘ帯域で到着する入力信号を受信する。トランシーバの制御手段６０は、トランシーバの機能を制御及び調整するための種々の制御及び調整信号を発生する。制御手段は、例えば、マイクロプロセッサで実施することができる。
【００１４】
トランシーバは、ダウンリンク信号経路４１に沿って無線経路へ信号を送信する。トランシーバは、その送信アンテナ４５によりそのＴｘ帯域でダウンリンク信号を送信する。本発明による方法は、受信端の感度を決定する段階を含み、この感度は、受信アンテナ１５５から受信手段９０の出力に考慮される。感度は、受信器の出力まで決定することができ、制御手段は、受信手段９０の出力信号を使用して感度を決定することができる。本発明によるトランシーバは、感度を測定するのに使用される要素を含み、従って、感度の測定に外部測定装置は必要とされない。
【００１５】
本発明によるトランシーバの構造について以下に詳細に説明する。少なくとも１つの物理的チャンネルを形成するトランシーバの発生手段５０の出力は、手段１０に接続される。手段１０は、トランシーバがＣＤＭＡ型のものである場合に物理的チャンネルの信号を拡散コードで拡散する。手段１０の出力は、手段２０に接続され、その出力は、Ｄ／Ａコンバータ３０の入力に接続される。このＤ／Ａコンバータ３０の出力は、変調手段３５の入力に接続される。
【００１６】
変調手段３５の出力は、例えば、方向性カプラーで実施することのできる手段４０へ接続される。変調手段３５及びスイッチング手段４０は、ダウンリンク送信経路４１の送信アンテナ４５に接続される。スイッチング手段４０は、送信経路４２により減衰手段７０に接続され、そしてスイッチング手段は、減衰手段により混合手段１２０に接続される。実際に、送信経路４２は、スイッチング手段１６０まで続く。ジェネレータ８０の出力は、スイッチング手段４０と混合手段との間の送信経路４２に接続される。
【００１７】
混合手段１２０は、加算手段１３０に接続され、これには、ジェネレータ１１０の出力も接続される。加算手段１３０の出力は、スイッチング手段１６０及び手段１５０の両方に接続される。減衰手段７０、混合手段１２０及び加算手段１３０は、これら手段を経て伝播する信号にあるノイズを生じさせるアナログ部分で実施される。スイッチング手段４０、減衰手段７０、混合手段１２０、加算手段１３０及びスイッチング手段１６０は、トランシーバの送信端をトランシーバの受信端に接続する。これは、少なくとも、減衰手段７０、混合手段１２０及び加算手段１３０が送信経路４２上にあることを意味する。
【００１８】
トランシーバの受信アンテナ１５５は、アップリンク送信経路１４１を経て受信器１４０に接続され、そして該受信器の出力は、Ａ／Ｄ変換手段１００に接続される。該Ａ／Ｄ変換手段の出力は、受信手段９０を経て制御手段６０に接続され、そして該制御手段は、発生手段５０に接続される。又、この制御手段６０は、減衰手段７０及びジェネレータ１１０にも接続される。更に、この制御手段は、両スイッチング手段４０、１６０に接続される。
【００１９】
本発明の方法は、先ず、感度を測定するのに必要な要素により生じるノイズを決定する段階を含み、これは、感度の決定にノイズを考慮できるようにする。このように、感度値をできるだけ正確に決定することができる。実際に、本発明の方法は、信号が送信されるところの減衰手段７０、混合手段１２０及び加算手段１３０によって信号に生じるノイズを決定する段階を含む。上記手段の公称ノイズを決定するためにテスト信号が使用される。ノイズの決定は、非常に重要である。というのは、実際の感度を決定するのに使用される信号も、上記手段を経て送信されるからである。上記手段により信号に生じるノイズ信号は、ジェネレータ８０によって発生されるテスト信号、例えば、正弦波信号を使用して決定される。
【００２０】
又、本発明の方法は、スイッチング手段４０によって接続される信号において減衰手段７０、混合手段１２０及び加算手段１３０により生じる減衰を決定する段階も含む。減衰は、上述した公称ノイズと同じ原理に基づいて測定される。減衰の測定にテスト信号が使用される。減衰は、手段１５０において測定され、該手段は、減衰の測定結果を制御手段６０に送信する。減衰手段７０、混合手段１２０及び加算手段１３０により信号に生じた減衰は、感度の測定に考慮される。
トランシーバにより発生された信号は、発生手段５０により確立されたチャンネルへ送信される。チャンネルに送信される信号は、トランシーバがＣＤＭＡ又はＷＣＤＭＡ方法を適用する場合には拡散コード化される。図１に示されたトランシーバでは、手段１０がチャンネル上の信号に対して拡散コード化を実行する。ビットより成る拡散コード化信号は、受信信号をスケーリングする手段２０へ供給される。
【００２１】
アップリンクチャンネルモデルにより、図１に示したトランシーバは、先ず、受信アンテナ１５５に到着する信号を受信する。アップリンクチャンネルモデル又はそれに関する情報は、アップリンクからダウンリンクへ送信することができる。その後、アップリンクで使用されるチャンネルモデルに対応するチャンネルモデルをダウンリンクに形成することができる。実際に、アップリンクチャンネルモデルは、発生手段５０に形成される。その後、発生手段５０により形成されたチャンネルモデルの信号が手段２０においてスケーリングされる。実際には、発生手段５０は、制御手段６０から発生手段５０に入る制御信号に基づいてチャンネルモデルを形成する。
【００２２】
スケーリングとは、手段５０により形成されたチャンネルモデルが、同じトランシーバのアップリンクで受信できるよう適応されることを意味する。スケーリングにおいて、ダウンリンクチャンネルの長さは、アップリンクチャンネルの長さに適応される。スケーリングの後に、ダウンリンクチャンネルは、アップリンクチャンネルと同程度の長さになる。手段２０は、スケーリングにおいてチャンネル上のビット数を変更することができる。手段２０に加えて、例えば、発生手段５０においてスケーリングを行うことができる。
【００２３】
発生手段５０により形成されたアップリンクチャンネルモデルに含まれたデジタル信号は、Ｄ／Ａコンバータ３０においてアナログ形態に変換される。その後、アナログ信号は、変調手段３５において変調され、そして変調された信号は、ダウンリンク方向にスイッチング手段４０に向かって送信される。変調手段３５は、受信器１４０が受信できるように受信信号を変調する。もし必要であれば、変調手段３５は、アナログ形態に変換された信号を増幅することもできる。発生手段５０により形成されたアップリンクチャンネルモデルは、ダウンリンク方向にスイッチング手段４０まで供給される。換言すれば、アンテナ４５は、この状態では変調手段３５からいかなる信号も受信しない。
【００２４】
感度の測定においては、通常の状態でダウンリンク方向に送信されるチャンネルモデルとは異なるチャンネルモデルが、ダウンリンク方向に送信される。この場合に、通常の状態とは、例えば、トランシーバがダウンリンクチャンネルモデルに基づく信号をアンテナ４５により無線経路に送信する状態を指す。通常の状態において、ダウンリンク方向に送信される信号は、別のトランシーバへの接続を確立するのに使用される。
【００２５】
本発明による解決策では、スイッチング手段４０は、チャンネルモデルに含まれた信号を減衰手段７０へ接続する。感度が測定されるときには、スイッチング手段４０は、信号が送信アンテナ４５に接近するのを防止する。図１において明らかなように、ジェネレータ８０により発生されるテスト信号は、スイッチング手段４０により接続される信号に挿入される。従って、スイッチング手段４０は、ダウンリンクの手段を経て伝播したチャンネルモデルであって、アップリンクチャンネルモデルに対応するチャンネルモデルを、トランシーバのアップリンクに接続する。トランシーバにおける手段４０、７０、１２０、１３０及び１６０は、送信端における変調手段３５によって変調された信号であってアップリンクチャンネルモデルに対応する信号が接続されるところのフィードバックループを形成する。
【００２６】
図１において明らかなように、制御手段６０は、フィードバックループの一部分を形成する減衰手段７０と通信する。更に、制御手段は、ジェネレータ１１０を経てフィードバックループと通信する。制御手段６０は、調整信号を減衰手段７０に送信し、該減衰手段は、受信信号に基づいてその減衰を変化させる。従って、制御手段は、信号スイッチング手段４０が減衰手段７０へ送信する信号のレベルを調整する。スイッチング手段４０によって減衰手段７０に接続される信号のレベルと、減衰手段７０から混合手段１２０へ送られる出力信号のレベルは、減衰手段７０により使用される減衰度が変化される場合には、等しくない。混合手段１２０は、ＴＸ帯域にある変調及び受信された信号を、受信器のＲＸ帯域に入れる。
【００２７】
変調された信号に対する減衰手段７０、混合手段１２０及び加算手段１３０の影響は、加算手段１３０の出力信号から排除され、そして変調された信号は、上記手段を経て受信端へ送信される。これらの影響は、加算手段の出力から受け取られた信号のノイズを、テスト信号を使用して見出された量だけ減少することにより、考慮される。
感度の測定中に、無線経路からトランシーバに到着する信号は、加算手段１３０及びスイッチング手段１６０を経て受信器１４０に送信された信号に混合することが防止される。スイッチング手段１６０は、無線経路から到着する信号が受信器１４０に接近するのを完全に防止する。最後に述べた状態では、スイッチング手段１６０が、感度測定の時間中に、送信経路１４１をオフに切り換える。
【００２８】
上述したように、スイッチング手段１６０は、加算手段から受信器１４０へアナログ信号を接続する。受信器１４０は、受信信号に対して、例えば、自動利得制御（ＡＧＣ）を適用することができる。その後、受信器１４０の出力から受信された信号は、Ａ／Ｄ変換手段１００においてデジタル形態に変換される。アナログ信号は、ＲＡＫＥ受信器９０を経て制御手段へ供給される。制御手段は、受信端における手段１４０、１００及び９０が、スイッチング手段により接続された信号に生じさせたビットエラーを計算する。より詳細には、制御手段は、スイッチング手段４０が減衰手段７０に接続した信号と、ＲＡＫＥ受信器９０の出力から受け取られた信号とを使用してビットエラー比を計算する。ビットエラー比を決定するのは容易である。というのは、送信及び受信信号のビットが既知であり、この場合には、ビットを互いに比較するのが容易だからである。
【００２９】
又、感度値は、信号対雑音比として表わすこともできる。この場合、制御手段６０は、制御信号をジェネレータ１１０に送信し、該ジェネレータは、制御信号に基づいてある量のノイズを含むノイズ信号を形成し、そしてこのノイズ信号は加算手段１３０に送信される。加算手段において、ノイズ信号は、手段１２０からの信号に加算される。加算手段により形成された和の信号は、スイッチング手段へ供給され、該手段は、和の信号を手段１４０へ接続し、そこから、和の信号は、Ａ／Ｄ変換手段１００へ供給される。Ａ／Ｄ変換手段は、和の信号をデジタル信号に変換し、これは、手段９０へ供給される。
【００３０】
制御手段６０は、和の信号を、ノイズが付加されていない信号と比較する。その後、制御手段は、受信端に対しノイズ付加信号に対応する感度値を決定する。これに続いて、新たなノイズ信号が発生され、そしてその信号に対応する受信器の感度値が計算される。従って、制御手段６０は、減衰手段の減衰値と、ジェネレータ１１０により形成されるノイズ信号の大きさとを制御する。感度測定、ひいては、減衰及びノイズの制御を継続する条件、例えば、信号比較の結果として得られるビットエラー比が制御により減少するまでという条件を、前もって定義することができる。
【００３１】
図２は、上述した手段に加えて、手段１１、１２、１３及び１４を備えたトランシーバを示す。又、図２に示すトランシーバは、加算手段１５と、発生手段５１及び５２も備えている。発生手段５０、５１、５２の各々は、個別の手段１０、１１、１２に接続される。又、図２から明らかなように、手段１０の出力は、加算手段１５に接続されている。手段１１の出力は、手段１４を経て加算手段１５に接続される。又、手段１２の出力は、手段１３を経て加算手段１５に接続される。
【００３２】
発生手段５０、５１、５２の各々は、個別のチャンネルモデルを形成する。上述したように、発生手段５０は、それが形成したチャンネルモデルを手段１０へ送信する。一方、発生手段５１は、それが形成したチャンネルモデルを手段１１へ送信し、そして発生手段５２は、それが形成したチャンネルモデルを手段１２へ送信する。手段１０、１１、１２の各々は、それが受信したチャンネルの信号を拡散コードで拡散する。手段５０、５１、５２の各々は、それが形成したチャンネルに信号を送出する。異なるチャンネルに送出される信号のデータ送信速度は、異なるものでよい。
【００３３】
手段１１により拡散された信号は、手段１４へ送信され、該手段は、拡散コード化信号の位相を変更する。手段１２で拡散された信号は、手段１３へ送信され、これも、受信信号の位相を変更する。移相が与えられた信号は、加算手段１５へ供給され、該手段は、これら信号を手段１０からの信号に加算する。
加算手段１５の出力から得られる和の信号は、スケーリング手段２０へ供給され、該手段は、上述した原理に基づいて和の信号をスケーリングする。スケーリングの後に、和の信号は、アナログ形態に変換され、そしてアナログの和の信号が変調される。変調においては、多数のチャンネルが同じ搬送波に変調される。換言すれば、変調手段３５の出力信号は、多数のチャンネルより成る。
【００３４】
和の信号を構成するサブ信号は、異なるデータ送信特性を有してもよい。これは、手段５０、５１、５２の各々により形成されたチャンネルに送信されるビット又は記号の数がチャンネルによって変化し得ることを意味する。チャンネルに異なる送信速度が使用されると、干渉を引き起こして、信号にビットエラーを生じさせ、これらは上述したように測定される。図２に関連した方法を使用すると、データ送信速度、送信端及び受信端がどれほど多くのビットエラーを信号に生じさせるか見出すことができる。又、この方法によれば、各々異なるデータ送信速度を有する多数の信号より成る信号を受信端がいかに良好に受信できるかを見出すこともできる。従って、図２に関連した測定は、例えば、容量を決定するのに特に適している。
【００３５】
以上、添付図面を参照して、本発明を一例として説明したが、本発明は、これに限定されるものではなく、特許請求の範囲に規定された本発明の範囲内で種々変更がなされ得ることが明らかであろう。
【図面の簡単な説明】
【図１】  本発明によるトランシーバの第１の好ましい実施形態を示す図である。
【図２】  本発明によるトランシーバの第２の好ましい実施形態を示す図である。
【図１】
0003847165.tif 000002
【図２】
0003847165.tif 000003